(57)【要約】【課題】簡易な構造で粉砕物を破砕し、破砕された挽粉をひとつの送風機で送風室内へ送り込み、さらに排出させる木屑などの粉砕装置を提供しようとするものである。【解決手段】鋸刃組体２を収容する粉砕室Ａと、送風機１０を収容する送風室Ｂとを連通させて一体的なケーシング１に収容すると共に、鋸刃組体２の回転軸４を延設して送風機１０を同軸上に軸着した木屑などの粉砕装置であり、前記鋸刃組体２が複数の鋸刃５を間座６を介して連続的に組付けたものであり、さらに前記鋸刃組体２が複数の孔７を開けたドラム８にて囲尭されている。そして木屑などの粉砕物を投入する投入口１３が粉砕室Ａに設けられ、破砕された粉砕物を排出する排出口１４が送風室Ｂに設けられている粉砕装置である。【選択図】　図１
2004008883.tif 000002
【特許請求の範囲】
【請求項１】
鋸刃組体２を収容する粉砕室Ａと、送風機１０を収容する送風室Ｂとを連通させて一体的なケーシング１に収容すると共に、鋸刃組体２の回転軸４を延設して送風機１０を同軸上に軸着したことを特徴とする木屑などの粉砕装置。
【請求項２】
前記鋸刃組体２が複数の鋸刃５を間座６を介して連続的に組付けたものであることを特徴とする請求項１記載の粉砕装置。
【請求項３】
鋸刃組体２が複数の孔７を開けたドラム８にて囲尭されていることを特徴とする請求項１および２に記載の粉砕装置。
【請求項４】
木屑などの粉砕物を投入する投入口１３が粉砕室Ａに設けられ、破砕された粉砕物を排出する排出口１４が送風室Ｂに設けられていることを特徴とする請求項１記載の粉砕装置。
【発明の詳細な説明】
【０００１】
【発明の属する技術分野】
本発明は、樹皮及びカンナ屑又は紙屑、プラスチック屑等を複数の鋸刃を組み込んだ鋸刃組体により細かく切断し、粉砕された挽粉を送風機で引き込んで排出する挽粉装置と送風機が一体化した粉砕装置に関する。
【０００２】
【従来の技術】
従来の粉砕機においては、粉砕機で樹皮、カンナ屑等、高速回転軸にシュレッダー送風機もしくはチッパーナイフを取付け叩いて粉砕し、さらに送風機を設置して粉砕屑をその風圧で送り出すようにしていた。
【０００３】
【発明が解決しようとする課題】
従来の粉砕機にあってはシュレッダーもしくはチッパーナイフで叩いて大きい物を小さく粉砕するにはかなりの時間を必要とし、効率も悪く、粉砕屑の製品にバラツキが有り価値を悪くしていた。また製品である粉体は、粉砕機から落下したものをホッパーで受け、そして送風機で吸込み、空気輸送していた。このように粉砕機と送風機とは個別の装置となり高価にならざるを得なかった。かかる欠点を解消するために、簡易な構造で粉砕物を破砕し、破砕された挽粉をひとつの送風機で送風室内へ送り込み、さらに排出させる木屑などの粉砕装置を提供しようとするものである。
【０００４】
【課題を解決するための手段】
本発明の粉砕装置は、主として以下のことを特徴とする粉砕装置である。
１．鋸刃組体２を収容する粉砕室Ａと、送風機１０を収容する送風室Ｂとを連通させて一体的なケーシング１に収容すると共に、鋸刃組体２の回転軸４を延設して送風機１０を同軸上に軸着した木屑などの粉砕装置である。
２．前記鋸刃組体２が複数の鋸刃５を間座６を介して連続的に組付けたものである。
３．前記鋸刃組体２が複数の孔７を開けたドラム８にて囲尭されていることを特徴とする。
４．木屑などの粉砕物を投入する投入口１３が粉砕室Ａに設けられ、破砕された粉砕物を排出する排出口１４が送風室Ｂに設けられていることを特徴とする粉砕装置である。
【０００５】
上記のように構成された粉砕装置は、投入口より投入された樹皮・カンナ屑などを前記鋸刃組体によって瞬時に切断し、さらにドラムの複数の孔を一定の大きさに形成することにより、均一な挽粉のみが孔を通過して隣接する送風室へ送風機の作用で吸引し、さらに排出口より排出するようにしたことを特徴としている。
【０００６】
【発明の実施の形態】
以下、本発明の１実施例を図面に基づき説明する。本発明の挽粉装置と送風機を一体化させた粉砕装置は、図１及び図２に示すように鋸刃組体２を収容する円筒状の粉砕室Ａと、送風機１０を収容する方形状の送風室Ｂとを連通させて一体的なケーシング１に収容したことを特徴とする。
【０００７】
そして粉砕室Ａに収容される鋸刃組体２は、図３に示すように鋸刃５の間に間座６を介在させて連続的に鋸刃５を組み込んだものである。そしてこの鋸刃組体２を囲尭するドラム８は、刃先軌跡より僅かに大きな円筒に形成し、粉砕された挽粉を周方向に吐出させるための挽粉通過用の複数の孔７をドラム８の全面にわたって設けられている。そしてその外周を挽粉が送風室Ｂに向け通過できる程度の間隔をあけた円筒状のケーシング１ａで覆われている。尚、ドラム８は図５に示すように底面を有する円筒に形成して他方開口側をケーシング１ａの内壁に溶接固定する。そしてその上面の一部を切り欠いた開口８ａを設け、この開口８ａは粉砕室Ａを構成する円筒状のケーシング１ａの上面に形成した方形の投入口１３の下端に連結している。
【０００８】
粉砕室Ａに連設する送風室Ｂは、方形な筒状のケーシング１ｂに形成し、その上部に排出口１４を設けてある。そして送風室Ｂ内に配される送風機１０は、鋸刃組体２と同軸の回転軸４に軸着されている。そして回転軸４は駆動モ−ターＭにより回転するプーリー１１にベルト１２を介して連結するプーリー３の回転軸となっている。また粉砕室Ａのケーシング１ａと送風室Ｂのケーシング１ｂとは、その側面開口を相互に接合させ、その周縁を複数のネジ９を用いてネジ止めしている。
【０００９】
本発明の粉砕装置を用いて挽粉を行う場合は、駆動モーターＭのスイッチを入れるとプーリー１１が回転し、ベルト１２を介してプーリー３が回転してその回動軸４を回転させる。すなわち回動軸４に軸着された鋸刃組体２および送風機１０が同時に回転する。この状態で樹皮・カンナ屑または紙屑、プラスチック屑など粉砕物を連続的に投入口１３から投入する。投入された粉砕物は投入口に連通するドラム８の開口８ａから鋸刃組体２に向け落下し粉々に粉砕される。そして粉砕された挽粉は送風機１０の作用でドラム８の複数の孔７から周方向に吹きだして円筒状のケーシング１ａの内壁を伝って送風室Ｂ内へ送り込まれる。そして送風機１１の作用で上部に形成した吐出口１５から排出される。すなわち送風機１１は、ドラム８に形成された多数の孔７から吹きだした均一な挽粉を粉砕室Ａから引き込み、かつ、排出口１４から吐き出す役割を為すことになる。
【００１０】
【発明の効果】
本発明によれば、ケーシング１内に粉砕室Ａと送風室Ｂを連通させて設け、送風室に配した送風機１０で粉砕室の鋸刃組体２で破砕した木屑などの粉体を送風室側へ引き込むようにしたものであり、しかも鋸刃組体２と送風機１０は同一の回転軸４に軸着するものであるからひとつの動力源で本装置を駆動することができるという効果がある。
【図面の簡単な説明】
【図１】本発明の鋸刃組体を用いた粉砕装置の全体斜視図である。
【図２】同装置の平面断面図である。
【図３】鋸刃組体の斜視図である。
【図４】同装置の側断面図である。
【図５】ドラムの斜視図である。
【符号の説明】
１　　ケーシング
２　　鋸刃組体
３　　プーリー
４　　回転軸
５　　鋸刃
６　　間座
７　　孔
８　　ドラム
９　　ネジ
１０　　送風機
１１　　プーリー
１２　　ベルト
１３　　投入口
１４　　排出口
【図１】
2004008883.tif 000003
【図２】
2004008883.tif 000004
【図３】
2004008883.tif 000005
【図４】
2004008883.tif 000006
【図５】
2004008883.tif 000007